(57)【特許請求の範囲】
【請求項１】
水硬性物質と木質物質を含む原料粉体を散布する乾式法で製造して外装板として使用するセメント板の建築板であって、溝を縦横に形成した装飾模様を板面に成形した長方形状の建築板において、
板面の装飾模様中の短辺方向に沿った溝は、長辺方向に沿った溝より狭く又は浅くし、かつ、建築板の短辺より短い複数の溝を、短辺方向の同一直線上に配列されない位置に配置したことを特徴とする建築板。
【請求項２】
建築板の長辺方向は、原料粉体の流れたフォーミング方向にしたことを特徴とする請求項１に記載の建築板。
【請求項３】
水硬性物質と木質物質を含む原料を、粉体の散布による乾式法でマット体にし、マット体を長方形板状に製板すると共に、型板で溝を縦横に形成した装飾模様を板面に成形し、長方形状の成形板を養生して硬化し、溝を縦横に形成した装飾模様を板面に成形した長方形状のセメント板の建築板を得る製造法において、
マット体の、原料粉体の流れたフォーミング方向を建築板の長辺方向にし、建築板面の装飾模様中の短辺方向に沿った溝を、長辺方向に沿った溝より狭く又は浅くしたことを特徴とする建築板の製造法。
【発明の詳細な説明】
【０００１】
【産業上の利用分野】
本発明は、溝を縦横に形成した装飾模様を成形した建築板とその製造法に関する。
【０００２】
【従来の技術】
この種の建築板は、水硬性物質のセメントと木質物質のパルプ又は木材チップなどを含む原料を、粉体の散布による乾式法でマット体にし、マット体をプレスに挿入して、長方形板状に製板すると共に、型板で溝を縦横に形成した装飾模様を板面に成形し、長方形状の成形板を養生して硬化し、セメント板の建築板にする。
【０００３】
この長方形状の建築板は、板面に、溝を縦横に形成した装飾模様を成形している。主に外装板として使用される。
【０００４】
【発明が解決しようとする課題】
ところが、上記のような長方形状の建築板は、板面の装飾模様中に長辺方向に沿った溝と短辺方向に沿った溝があり、短辺方向の溝が長辺方向の溝と同一の幅と深さであるので、長辺方向が撓み易く、湾曲し易い。
【０００５】
特に、最近使用される細長い建築板、例えば０．５ｍ弱×３ｍ強の細長い外装板では、細長い上に、板面の装飾模様中に長辺方向の溝と同一の幅と深さの短辺方向の溝があるので、長辺方向が非常に撓み易く、長辺方向の撓み量が多く、壁下地に位置決めして釘打ちする作業に多くの手間がかかり、施工し難い。
【０００６】
また、上記のような建築板の乾式法による製造法においては、木質物質の木材チップを含む原料粉体を、移動中の型板上に落下させつつ、風選のため長方形状の型板の長辺方向に吹く風でその方向に流して型板上に散布し、風で原料粉体が流れた方向即ちフォーミング方向を長辺方向とする長方形状のマット体にする。型板上のマット体は、その中の木材チップがフォーミング方向即ち長辺方向に配列される傾向にある。
【０００７】
従って、型板上のマット体は、その中の木材チップの多くがフォーミング方向の長辺方向に配列されるため、型板の長辺方向に沿った溝成形用突条の両側の入り隅部では木材チップが架橋し難く原料粉体が不足し難いが、型板の短辺方向に沿った溝成形用突条の両側の入り隅部では木材チップが架橋し易く原料粉体が不足し易い。型板上のマット体を押圧して溝を縦横に形成した装飾模様を成形すると、装飾模様中の長辺方向の溝は、密に鋭く成形され易いが、短辺方向の溝は、密に鋭く成形され難い。
【０００８】
そして、マット体のフォーミング方向，長辺方向が建築板の長辺方向になるので、建築板面の装飾模様中の長辺方向に沿った溝は、密で鋭い溝になり易いが、短辺方向に沿った溝は、密で鋭い溝になり難い。即ち、建築板の長辺方向の溝と短辺方向の溝が同一の幅と深さであると、短辺方向の溝を良好に成形し難い。
【０００９】
結局、上記のような建築板の乾式法による製造法においては、板面の装飾模様中の、フォーミング方向の直角方向即ち短辺方向の溝が良好に成形された建築板を製造し難い。
【００１０】
【課題を解決するための手段】
１）水硬性物質とパルプや木材チップのような木質物質を含む原料粉体を散布する乾式法で製造して外装板として使用するセメント板の建築板であって、溝を縦横に形成した装飾模様を板面に成形した長方形状の建築板において、
板面の装飾模様中の短辺方向に沿った溝は、長辺方向に沿った溝より狭く又は浅くし、かつ、建築板の短辺より短い複数の溝を、短辺方向の同一直線上に配列されない位置に配置した。
【００１１】
２）上記の建築板において、建築板の長辺方向は、原料粉体の流れたフォーミング方向にした。
【００１２】
３）水硬性物質とパルプや木材チップのような木質物質を含む原料を、粉体の散布による乾式法でマット体にし、マット体を長方形板状に製板すると共に、型板で溝を縦横に形成した装飾模様を板面に成形し、長方形状の成形板を養生して硬化し、溝を縦横に形成した装飾模様を板面に成形した長方形状のセメント板の建築板を得る製造法において、
マット体の、原料粉体の流れたフォーミング方向を建築板の長辺方向にし、建築板面の装飾模様中の短辺方向に沿った溝を、長辺方向に沿った溝より狭く又は浅くした。
【００１４】
【作用】
長方形状の建築板においては、板面の装飾模様中の短辺方向に沿った溝は、長辺方向に沿った溝より狭い又は浅いので、長辺方向が撓み難く、長辺方向の撓み量が少ない。その上、短辺方向に沿った溝は、建築板の短辺より短い複数の溝が短辺方向の同一直線上に配列されない位置に配置されているので、長辺方向の撓み量が非常に少ない。
【００１５】
建築板の製造法においては、板面の装飾模様中の短辺方向に沿った溝は、長辺方向に沿った溝より狭い又は浅いので、良好に成形され易い。
【００１６】
また、板面の装飾模様中の、フォーミング方向の直角方向に沿った溝は、フォーミング方向に沿った溝より狭い又は浅いので、良好に成形され易い。
【００１７】
【発明の効果】
本発明においては、長方形状の建築板は、長辺方向の撓み量が少ない。施工し易い。
【００１８】
また、建築板の製造法においては、板面の装飾模様中の短辺方向に沿った溝が良好に成形された建築板を製造し易い。
【００２０】
【実施例】
先ず、参照例について説明する。参照例の建築板の製造法は、セメント板の一種であるスラグセメントパーライト板の湿式製造法である。
【００２１】
原料の組成は、次の通りである。
スラグ                  ３８重量部
水硬性物質のセメント    ３４重量部
骨材のパーライト        １２重量部
木質物質のパルプ          ５重量部
無機質混和剤とその他    １１重量部
【００２２】
この原料を水に懸濁したスラリーＳは、図１に略示するように、長網式抄造機のフローボックス１に供給され、フローボックス１の先端開口から移動中の帯状の抄き網２の上に抄き網２の長手方向に流れ落ちる。抄き網２の上にその移動方向に流された原料スラリーＳは、各サクションボックス３上側位置を通過する毎に、水が下方に吸引されて脱水され、抄き網２の上に薄膜状に抄かれて、ウェブになる。薄膜状のウェブは、移動中の抄き網２の上から回転中のメーキングロール４に巻き取られる。
【００２３】
ウェブがメーキングロール４に多層に巻かれて所定の厚さになる毎に、多層に巻かれたウェブが切断されてメーキングロール４から剥離し、原料スラリーＳの流れた方向即ち抄造方向を長辺方向とする長方形状のマット体に展開する。
【００２４】
長方形状のマット体は、平板プレスに挿入され、平板プレスの下側定盤に載置される。すると、平板プレスの上側定盤が下降し、平板プレスの上側定盤に固定された長方形状の型板で、マット体が押圧される。マット体は、長方形板状に製板されると共に、溝を長辺方向と短辺方向に沿って形成したレンガ調模様が板面に成形され、レンガ調模様付きの成形板になる。
【００２５】
長方形状の型板は、成形面に長辺方向に沿った溝成形用突条と短辺方向に沿った溝成形用突条があり、両方向の溝成形用突条は、高さが同一であるが、幅は、短辺方向の溝成形用突条が長辺方向の溝成形用突条より狭い。従って、成形板面のレンガ調模様中の、長辺方向と短辺方向の溝は、深さが同一であるが、幅は、短辺方向の溝が長辺方向の溝より狭い。
【００２６】
長方形状のレンガ調模様付きの成形板は、一次養生し、二次養生して、硬化し、スラグセメントパーライト板の原板になる。１ｍ弱×３ｍ強の長方形の原板は、その長手方向に沿って２等分割して、０．５ｍ弱×３ｍ強の細長い長方形の建築板２枚になる。
【００２７】
細長い長方形の建築板１１は、図２に示すように、板面に、溝１２，１３を長辺方向と短辺方向に沿って形成したレンガ調模様が成形されている。レンガ調模様中の長辺方向の溝１２は、建築板１１を一直線状に挿通している。短辺方向の溝１３は、建築板１１を一直線状に挿通しておらず、建築板１１の短辺の数分の一の短い複数の溝が長辺方向の任意の位置に配置され、短辺方向の同一直線上に配列されていない。長辺方向と短辺方向の溝１２，１３は、深さが同一であるが、幅は、短辺方向の溝１３が長辺方向の溝１２より狭い。
【００２８】
長辺方向の溝１２は、図３に示すように、逆台形状断面であり、深さが３ｍｍで、底面の幅が８ｍｍ、開口面の幅が１４ｍｍである。短辺方向の溝１３は、図４に示すように、逆台形状断面であり、深さが３ｍｍで、底面の幅が４ｍｍ、開口面の幅が１０ｍｍである。短辺方向の溝１３は、底面の幅が長辺方向の溝１２の半分である。なお、建築板１１の厚さは、１２ｍｍである。
【００２９】
スラグセメントパーライト板のレンガ調模様付きの建築板１１は、横貼り用の外装板として使用される。
【００３０】
本例の建築板１１は、レンガ調模様中の短辺方向の溝１３が長辺方向の溝１２より狭いので、長辺方向の撓み量が少なく、施工し易い。更に、短辺方向の溝１３は、建築板１１の短辺より短い複数の溝が短辺方向の同一直線上に配列されない位置に配置されているので、建築板１１は、長辺方向の撓み量が非常に少ない。
【００３１】
＜実施例（図５参照）＞
本例の建築板の製造法は、セメント板の一種である硬質木片セメント板の乾式製造法である。
【００３２】
原料の組成は、次の通りである。
水硬性物質のセメント      ７５重量部
木質物質の木材チップ      ２５重量部
【００３３】
この原料を少量の水と混合した粉体Ｐは、図５に略示するように、フォーミング装置の供給コンベア２１に供給され、供給コンベア２１の先端から、搬送コンベア２２によって移動中の搬送板２３上の、長方形状の型板２４上に落下しつつ、風選用の送風装置２５によって型板２４の移動方向と逆向きに吹く風でその方向に流れて、型板２４の上に散布され、風で原料粉体Ｐが流れた方向即ちフォーミング方向を長辺方向とする長方形状のマット体になる。
【００３４】
マット体を載せた型板２４は、多数段に積み重ね、各型板２４上のマット体の上にそれぞれその上段の型板２４の搬送板２３を載せ、プレスに挿入し、各型板２４上のマット体を、それぞれ、その下側の型板２４とその上側の搬送板２３に挟んで圧締する。長方形状のマット体は、長方形板状に製板されると共に、溝を長辺方向と短辺方向に沿って形成したレンガ調模様が板面に成形され、レンガ調模様付きの成形板になる。
【００３５】
長方形状の型板２４は、成形面に長辺方向に沿った溝成形用突条と短辺方向に沿った溝成形用突条があり、両方向の溝成形用突条は、高さが同一であるが、幅は、短辺方向の溝成形用突条が長辺方向の溝成形用突条より狭い。
【００３６】
長方形状のレンガ調模様付きの成形板は、多数段に積み重ねて圧締したままの状態で一次養生し、圧締状態を解除し、二次養生して、硬化し、硬質木片セメント板の原板になる。１ｍ弱×３ｍ強の長方形の原板は、その長手方向に沿って２等分割して、０．５ｍ弱×３ｍ強の細長い長方形の建築板２枚になる。
【００３７】
細長い長方形の建築板は、参照例におけるのと同様に、板面に、溝を長辺方向と短辺方向に沿って形成したレンガ調模様が成形されている。長辺方向と短辺方向の溝は、深さが同一であるが、幅は、短辺方向の溝が長辺方向の溝より狭い。
【００３８】
硬質木片セメント板の建築板は、横貼り用の外装板として使用される。
【００３９】
本例の建築板は、参照例におけるのと同様に、長辺方向の撓み量が少なく、施工し易い。
【００４０】
本例の建築板の製造法においては、型板上のマット体は、その中の木材チップの多くがフォーミング方向の長辺方向に配列されるため、型板の短辺方向の溝成形用突条における両側の入り隅部では木材チップが架橋し易く原料が不足し易いが、短辺方向の溝成形用突条は、狭いので、型板でマット体を圧締する際、短辺方向の溝成形用突条上の木材チップが短辺方向の溝成形用突条における両側の入り隅部に移動し易く、短辺方向の溝は、密に鋭く良好に成形され易い。
【００４１】
＜変形例＞
１）実施例において、建築板面の装飾模様中の短辺方向に沿った溝は、長辺方向に沿った溝より狭くしたが、浅くする。又は、狭くかつ浅くする。
【００４２】
２）実施例において、建築板面の装飾模様は、レンガ調模様であったが、格子模様又はその他の模様にする。
【００４３】
３）実施例において、建築板は、横貼り用であったが、縦貼り用にする。
【００４４】
４）実施例において、建築板は、外装板であったが、内装板にする。
【図面の簡単な説明】
【図１】参照例における建築板の製造法における抄造工程の概略側面図。
【図２】同建築板の正面図。
【図３】同建築板の装飾模様中の長辺方向に沿った溝の拡大断面図。
【図４】同建築板の装飾模様中の短辺方向に沿った溝の拡大断面図。
【図５】実施例における建築板の製造法におけるフォーミング工程の概略側面図。
【符号の説明】
１１  建築板
１２  抄造方向，長辺方向に沿った溝
１３  抄造方向の直角方向，短辺方向に沿った溝
２１  フォーミング装置の供給コンベア
２２  フォーミング装置の搬送コンベア
２３  搬送板
２４  型板
２５  フォーミング装置の風選用送風装置
Ｐ  原料粉体
【図１】
0003545829.tif 000002
【図２】
0003545829.tif 000003
【図３】
0003545829.tif 000004
【図４】
0003545829.tif 000005
【図５】
0003545829.tif 000006